(57)【要約】【課題】作業者が作業台に乗った際にバランスが崩れることを抑制できるエスカレーターの作業用足場装置を提供する。【解決手段】エスカレーターの作業用足場装置は、エスカレーターの傾斜部において、一対の手摺の上方にまたがるように配置される作業台と、前記作業台の一側に連結され、前記一対の手摺の一方を把持する一側把持体と、前記作業台の他側に連結され、前記一対の手摺の他方を把持する他側把持体と、前記エスカレーターの傾斜部においてステップに積まれ、前記作業台を下方から支持する支持体と、を備えた。【選択図】図２
2019069831.tif 000002
【特許請求の範囲】
【請求項１】
エスカレーターの傾斜部において、一対の手摺の上方にまたがるように配置される作業台と、
前記作業台の一側に連結され、前記一対の手摺の一方を把持する一側把持体と、
前記作業台の他側に連結され、前記一対の手摺の他方を把持する他側把持体と、
前記エスカレーターの傾斜部においてステップに積まれ、前記作業台を下方から支持する支持体と、
を備えたエスカレーターの作業用足場装置。
【請求項２】
前記支持体は、
前記作業台の下方において隣接した複数のステップに積まれた複数のブロック、
を備えた請求項１に記載のエスカレーターの作業用足場装置。
【請求項３】
前記複数のブロックの各々は、ステップに積まれた際に当該ステップの上面に形成された溝と噛み合う溝、
を備えた請求項２に記載のエスカレーターの作業用足場装置。
【請求項４】
前記作業台に固定され、前記支持体が前記エスカレーターの長手方向に移動することを規制する移動規制体、
を備えた請求項１から請求項３のいずれか１項に記載のエスカレーターの作業用足場装置。
【請求項５】
前記一側把持体は、
前記一対の手摺の一方を把持する一側把持部と、
前記エスカレーターの上部の側において前記一側把持部に連結され、前記作業台の一側を下方から支持する一側第１支持部と、
前記エスカレーターの下部の側において前記一側把持部に連結され、前記作業台の上面が水平となるように前記作業台の一側を下方から伸縮自在に支持する一側第２支持部と、
を備え、
前記他側把持体は、
前記一対の手摺の一方を把持する他側把持部と、
前記エスカレーターの上部の側において前記他側把持部に連結され、前記作業台の他側を下方から支持する他側第１支持部と、
前記エスカレーターの下部の側において前記他側把持部に連結され、前記作業台の上面が水平となるように前記作業台の他側を下方から伸縮自在に支持する他側第２支持部と、
を備えた請求項１から請求項４のいずれか１項に記載のエスカレーターの作業用足場装置。
【発明の詳細な説明】
【技術分野】
【０００１】
この発明は、エスカレーターの作業用足場装置に関する。
【背景技術】
【０００２】
特許文献１は、エスカレーターの作業用足場装置を開示する。作業員は、当該作業用足場装置の作業台に乗ってエスカレーターの天井への作業を行うことができる。
【先行技術文献】
【特許文献】
【０００３】
【特許文献１】特開平１１−１４７６８４号公報
【発明の概要】
【発明が解決しようとする課題】
【０００４】
しかしながら、特許文献１に記載の作業用足場装置は、一対の手摺の一方に固定される。このため、作業者が作業台に乗った際にバランスが崩れることもある。
【０００５】
この発明は、上述の課題を解決するためになされた。この発明の目的は、作業者が作業台に乗った際にバランスが崩れることを抑制できるエスカレーターの作業用足場装置を提供することである。
【課題を解決するための手段】
【０００６】
この発明に係るエスカレーターの作業用足場装置は、エスカレーターの傾斜部において、一対の手摺の上方にまたがるように配置される作業台と、前記作業台の一側に連結され、前記一対の手摺の一方を把持する一側把持体と、前記作業台の他側に連結され、前記一対の手摺の他方を把持する他側把持体と、前記エスカレーターの傾斜部においてステップに積まれ、前記作業台を下方から支持する支持体と、を備えた。
【発明の効果】
【０００７】
この発明によれば、支持体は、作業台を下方から支持する。このため、作業者が作業台に乗った際にバランスが崩れることを抑制できる。
【図面の簡単な説明】
【０００８】
【図１】この発明の実施の形態１におけるエスカレーターの作業用足場装置が適用されるエスカレーターの構成図である。
【図２】この発明の実施の形態１におけるエスカレーターの作業用足場装置の斜視図である。
【図３】この発明の実施の形態１におけるエスカレーターの作業用足場装置の斜視図である。
【図４】この発明の実施の形態１におけるエスカレーターの作業用足場装置の要部の縦断面図である。
【図５】この発明の実施の形態１におけるエスカレーターの作業用足場装置の要部の側面図である。
【図６】この発明の実施の形態１におけるエスカレーターの作業用足場装置の要部の斜視図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１はこの発明の実施の形態１におけるエスカレーターの作業用足場装置が適用されるエスカレーターの構成図である。
【００１１】
図１において、エスカレーターは、隣接階にまたがる。下部乗降口１は、隣接階のうちの下方階に設けられる。上部乗降口２は、隣接階のうちの上方階に設けられる。
【００１２】
複数のステップ３は、下部乗降口１と上部乗降口２との間に設けられる。複数のステップ３は、無端状に設けられる。
【００１３】
一対のスカートガード４の一方は、複数のステップ３の一側に隣接する。一対のスカートガード４の他方は、複数のステップ３の他側に隣接する。一対の欄干５の一方は、一対のスカートガード４の一方の上部に固定される。一対の欄干５の他方は、一対のスカートガード４の他方の上部に固定される。
【００１４】
一対の案内レール６の一方は、一対の欄干５の一方の上部に設けられる。一対の案内レール６の他方は、一対の欄干５の他方の上部に設けられる。一対の手摺７の一方は、無端状に形成される。一対の手摺７の一方は、一対の案内レール６の一方に案内される。一対の手摺７の他方は、無端状に形成される。一対の手摺７の他方は、一対の案内レール６の他方に案内される。
【００１５】
エスカレーターの設定が上昇運転の設定となっている場合、下部乗降口１は乗り口となる。上部乗降口２は降り口となる。エスカレーターが上昇運転を開始すると、複数のステップ３と一対の手摺７とは、同期して移動する。
【００１６】
エスカレーターの設定が下降運転の設定となっている場合、上部乗降口２は乗り口となる。下部乗降口１は降り口となる。エスカレーターが下降運転を開始すると、複数のステップ３と一対の手摺７とは、同期して移動する。
【００１７】
作業員は、エスカレーターの天井への作業を行う際に作業用足場装置８を利用する。例えば、作業員は、照明を取り付けたり交換したりする際に作業用足場装置８を利用する。
【００１８】
次に、図２を用いて、作業用足場装置８を説明する。
図２はこの発明の実施の形態１におけるエスカレーターの作業用足場装置の斜視図である。
【００１９】
図２に示されるように、作業用足場装置８は、作業台９と一側把持体１０と他側把持体１１と支持体１２と一対の移動規制体１３を備える。
【００２０】
例えば、作業台９は、矩形状に形成される。作業台９は、エスカレーターの傾斜部において一対の手摺７の上方にまたがるように配置される。
【００２１】
一側把持体１０は、作業台９の一側に連結される。一側把持体１０は、一対の手摺７の一方を把持する。
【００２２】
他側把持体１１は、作業台９の他側に連結される。他側把持体１１は、一対の手摺７の他方を把持する。
【００２３】
支持体１２は、エスカレーターの傾斜部において図２において図示されないステップ３に積まれる。支持体１２は、作業台９を下方から支持する。
【００２４】
一対の移動規制体１３の一方は、エスカレーターの上部の側において作業台９に固定される。一対の移動規制体１３の一方は、支持体１２がエスカレーターの上部の側に移動することを規制する。一対の移動規制体１３の他方は、エスカレーターの下部の側において作業台９に固定される。一対の移動規制体１３の他方は、支持体１２がエスカレーターの下部の側に移動することを規制する。
【００２５】
次に、図３を用いて、一側把持体１０と他側把持体１１とを説明する。
図３はこの発明の実施の形態１におけるエスカレーターの作業用足場装置の斜視図である。
【００２６】
図３に示されるように、一側把持体１０は、一側把持部１０ａと一側第１支持部１０ｂと一側第２支持部１０ｃとを備える。
【００２７】
一側把持部１０ａは、一対の手摺７の一方を把持する。
【００２８】
一側第１支持部１０ｂは、エスカレーターの上部の側において一側把持部１０ａに連結される。一側第１支持部１０ｂは、作業台９の一側を下方から支持する。
【００２９】
一側第２支持部１０ｃは、エスカレーターの下部の側において一側把持部１０ａに連結される。一側第２支持部１０ｃは、作業台９の上面が水平となるように作業台９の一側を下方から伸縮自在に支持する。
【００３０】
他側把持体１１は、他側把持部１１ａと他側第１支持部１１ｂと他側第２支持部１１ｃとを備える。
【００３１】
他側把持部１１ａは、一対の手摺７の他方を把持する。
【００３２】
他側第１支持部１１ｂは、エスカレーターの上部の側において他側把持部１１ａに連結される。他側第１支持部１１ｂは、作業台９の他側を下方から支持する。
【００３３】
他側第２支持部１１ｃは、エスカレーターの上部の側において他側把持部１１ａに連結される。他側第２支持部１１ｃは、作業台９の上面が水平となるように作業台９の他側を下方から伸縮自在に支持する。
【００３４】
次に、図４を用いて、手摺７の把持方法を説明する。
図４はこの発明の実施の形態１におけるエスカレーターの作業用足場装置の要部の縦断面図である。
【００３５】
図４に示されるように、一側把持体１０において、一側把持部１０ａは、一対の手摺７の一方を外側から覆うように強固に把持する。
【００３６】
他側把持体１１において、他側把持部１１ａは、一対の手摺７の他方を外側から覆うように強固に把持する。
【００３７】
次に、図５を用いて、支持体１２と一対の移動規制体１３とを説明する。
図５はこの発明の実施の形態１におけるエスカレーターの作業用足場装置の要部の側面図である。
【００３８】
図５に示されるように、支持体１２は、複数のブロック１２ａを備える。複数のブロック１２ａは、作業台９の下方において隣接した複数のステップ３に積まれる。
【００３９】
乗客コンベアの長手方向において、ブロック１２ａの数は、作業台９の奥行寸法に合わせて決定される。乗客コンベアの高さ方向において、ブロック１２ａの数は、作業台９の高さ方向の位置に合わせて決定される。
【００４０】
一対の移動規制体１３の一方は、エスカレーターの上部の側から最もエスカレーターの上部の側の列の複数のブロック１２ａを遮蔽する。
【００４１】
一対の移動規制体１３の他方は、基部１３ａと遮蔽部１３ｂと回転支持部１３ｃとを備える。
【００４２】
一対の移動規制体１３の他方において、基部１３ａは、最もエスカレーターの下部の側の列の複数のブロック１２ａとステップ３との間に配置される。遮蔽部１３ｂは、エスカレーターの下部の側から最もエスカレーターの下部の側の列の複数のブロック１２ａを遮蔽する。回転支持部１３ｃは、基部１３ａに対して遮蔽部１３ｂを回転自在に支持する。
【００４３】
作業用足場装置８が組み立てられる際、一対の移動規制体１３の他方の基部１３ａがステップ３の上面に配置される。その後、複数のブロック１２ａが当該ステップ３を含む複数のステップ３に積まれる。その後、作業台９が最上段のブロック１２ａに積まれる。その後、一側把持体１０が手摺７の一方を把持する。その後、他側把持体１１が手摺７の他方を把持する。
【００４４】
その後、一対の移動規制体１３の一方の上部が作業台９に固定される。その後、一対の移動規制体１３の他方の遮蔽部１３ｂがエスカレーターの下部の側から最もエスカレーターの下部の側の列の複数のブロック１２ａを遮蔽する位置まで基部１３ａに対して回転させられる。その後、一対の移動規制体１３の他方の遮蔽部１３ｂの上部が作業台９に固定される。
【００４５】
作業用足場装置８が解体される際、一対の移動規制体１３の他方の遮蔽部１３ｂの上部が作業台９への固定から解放される。その後、一対の移動規制体１３の他方の遮蔽部１３ｂがエスカレーターの下部の側から最もエスカレーターの下部の側の列の複数のブロック１２ａを遮蔽しない位置まで基部１３ａに対して回転させられる。その後、一対の移動規制体１３の一方の上部が作業台９への固定から解放される。
【００４６】
その後、他側把持体１１が手摺７の他方の把持から解放される。その後、一側把持体１０が手摺７の一方の把持から解放される。その後、作業台９が最上段のブロック１２ａの上面から撤去される。その後、複数のブロック１２ａが当該ステップ３を含む複数のステップ３から撤去される。その後、一対の移動規制体１３の他方が撤去される。
【００４７】
次に、図６を用いて、ブロック１２ａの詳細を説明する。
図６はこの発明の実施の形態１におけるエスカレーターの作業用足場装置の要部の斜視図である。
【００４８】
図６に示されるように、複数のブロック１２ａの各々は、直方体状に形成される。複数のブロック１２ａの各々の幅寸法は、図６においては図示されないステップ３の幅寸法に合わせて決定される。複数のブロック１２ａの各々の高さ寸法は、ステップ３の高さ寸法に合わせて決定される。
【００４９】
複数のブロック１２ａの各々は、複数の溝Ａを備える。複数の溝Ａは、ステップ３に積まれた際に当該ステップ３の上面に形成された複数の溝と噛み合うに形成される。
【００５０】
図示されないが、隣接した複数のステップ３は、互いの溝Ａを噛み合わせるように配置される。
【００５１】
以上で説明した実施の形態１によれば、支持体１２は、作業台９を下方から支持する。このため、作業者が作業台９に乗った際にバランスが崩れることを抑制できる。
【００５２】
また、支持体１２は、複数のブロック１２ａを備える。このため、作業用足場装置８の組立および解体を容易に行うことができる。その結果、支持体１２を作業用足場装置８の組立および解体にかかる時間を短くすることができる。
【００５３】
また、複数のブロック１２ａの各々において、複数の溝Ａは、ステップ３に積まれた際に当該ステップ３の上面に形成された複数の溝と噛み合う。このため、支持体１２の安定性を増すことができる。
【００５４】
また、一対の移動規制体１３は、支持体１２がエスカレーターの長手方向に移動することを規制する。このため、作業者が作業台９に乗った際にバランスが崩れることをより確実に抑制できる。
【００５５】
また、一側第２支持部１０ｃは、作業台９の上面が水平となるように作業台９の一側を下方から伸縮自在に支持する。他側第２支持部１１ｃは、作業台９の上面が水平となるように作業台９の他側を下方から伸縮自在に支持する。このため、エスカレーターの傾斜部の傾斜角度によらず、作業台９の上面を水平にすることができる。例えば、エスカレーターの傾斜部の傾斜角度が３０度の場合でも、作業台９の上面を水平にすることができる。例えば、エスカレーターの傾斜部の傾斜角度が３５度の場合でも、作業台９の上面を水平にすることができる。
【００５６】
なお、作業用足場装置８の設置した後、エスカレーターを運転してもよい。この場合、図２の矢印方向に作業用足場装置８が移動する。このため、エスカレーターの天井の各部に対して作業用足場装置８を適切な位置に容易に移動させることができる。
【００５７】
また、ステップ３と作業台９との間において複数のブロック１２ａを楔として機能させてもよい。この場合、ステップ３と作業台９との間を隙間なく埋めることができる。その結果、作業者が作業台９に乗った際にバランスが崩れることを抑制できる。
【符号の説明】
【００５８】
１  下部乗降口、  ２  上部乗降口、  ３  ステップ、  ４  スカートガード、  ５  欄干、  ６  案内レール、  ７  手摺、  ８  作業用足場装置、  ９  作業台、  １０  一側把持体、  １０ａ  一側把持部、  １０ｂ  一側第１支持部、  １０ｃ  一側第２支持部、  １１  他側把持体、  １１ａ  他側把持部、  １１ｂ  他側第１支持部、  １１ｃ  他側第２支持部、  １２  支持体、  １２ａ  ブロック、  １３  移動規制体、  １３ａ  基部、  １３ｂ  遮蔽部、  １３ｃ  回転支持部
【図１】
2019069831.tif 000003
【図２】
2019069831.tif 000004
【図３】
2019069831.tif 000005
【図４】
2019069831.tif 000006
【図５】
2019069831.tif 000007
【図６】
2019069831.tif 000008